(57)【要約】【課題】基地局が端末に対する制御情報を、拡張された物理下りリンク制御チャネルを介して通知する場合や、セル半径が小さい場合においても、効率的に物理上りリンク制御チャネルリソースの指定することができる基地局、端末、通信システムおよび通信方法を提供する。【解決手段】基地局と通信を行う端末において、第１の拡張物理下りリンク制御チャネルを検出した場合、物理下りリンク共用チャネルの送信に用いられるリソースブロックのインデクスに応じて決定される物理上りリンク制御チャネルリソースに、第１の応答情報をマッピングして物理上りリンク制御チャネルを生成し、第２の拡張物理下りリンク制御チャネルを検出した場合、上位層により設定された複数の物理上りリンク制御チャネルリソースのうちの１つの物理上りリンク制御チャネルリソースに、第２の応答情報をマッピングして物理上りリンク制御チャネルを生成する。【選択図】図１９
2013255137.tif 000002
【特許請求の範囲】
【請求項１】
基地局と継続的なスケジューリングによる通信を行う端末であって、
前記継続的なスケジューリングの開始を示す第１の拡張物理下りリンク制御チャネルと、前記継続的なスケジューリングの解放を示す第２の拡張物理下りリンク制御チャネルとをモニタリングする下りリンク制御チャネル検出部と、
前記下りリンク制御チャネル検出部が前記第１の拡張物理下りリンク制御チャネルを検出した場合、当該第１の拡張物理下りリンク制御チャネルの検出により示される物理下りリンク共用チャネルに対する応答情報である第１の応答情報を生成し、前記下りリンク制御チャネル検出部が前記第２の拡張物理下りリンク制御チャネルを検出した場合、当該第２の拡張物理下りリンク制御チャネルに対する応答情報である第２の応答情報を生成する応答情報生成部と、
前記下りリンク制御チャネル検出部が前記第１の拡張物理下りリンク制御チャネルを検出した場合、前記物理下りリンク共用チャネルの送信に用いられるリソースブロックのインデクスに応じて決定される物理上りリンク制御チャネルリソースに、前記第１の応答情報をマッピングして物理上りリンク制御チャネルを生成し、前記下りリンク制御チャネル検出部が前記第２の拡張物理下りリンク制御チャネルを検出した場合、上位層により設定された複数の物理上りリンク制御チャネルリソースのうちの１つの物理上りリンク制御チャネルリソースに、前記第２の応答情報をマッピングして物理上りリンク制御チャネルを生成する上りリンク制御チャネル生成部と、
前記上りリンク制御チャネル生成部により生成された物理上りリンク制御チャネルを含む信号を送信する応答送信部と、を有する端末。
【請求項２】
前記下りリンク制御チャネル検出部は、前記継続的なスケジューリングの開始を示す第１の物理下りリンク制御チャネルと、前記継続的なスケジューリングの解放を示す第２の物理下りリンク制御チャネルとをモニタリングし、
前記応答情報生成部は、前記下りリンク制御チャネル検出部が前記第１の物理下りリンク制御チャネルを検出した場合、当該第１の物理下りリンク制御チャネルの検出により示される物理下りリンク共用チャネルに対する応答情報である第３の応答情報を生成し、前記下りリンク制御チャネル検出部が前記第２の物理下りリンク制御チャネルを検出した場合、当該第２の物理下りリンク制御チャネルに対する応答情報である第４の応答情報を生成し、
前記上りリンク制御チャネル生成部は、前記下りリンク制御チャネル検出部が前記第１の物理下りリンク制御チャネルを検出した場合、当該第１の物理下りリンク制御チャネルの構成に用いられる制御チャネル要素のインデクスに応じて決定される物理上りリンク制御チャネルリソースに、前記第３の応答情報をマッピングして物理上りリンク制御チャネルを生成し、前記下りリンク制御チャネル検出部が前記第２の物理下りリンク制御チャネルを検出した場合、当該第２の物理下りリンク制御チャネルの構成に用いられる制御チャネル要素のインデクスに応じて決定される物理上りリンク制御チャネルリソースに、前記第４の応答情報をマッピングして物理上りリンク制御チャネルを生成する請求項１に記載の端末。
【請求項３】
前記上りリンク制御チャネル生成部は、前記下りリンク制御チャネル検出部が前記第１の拡張物理下りリンク制御チャネルを検出した場合、前記物理下りリンク共用チャネルの送信に用いられるリソースブロックのインデクスをリソースブロックグループサイズで除算した値に応じて決定される物理上りリンク制御チャネルリソースに、前記第１の応答情報をマッピングして物理上りリンク制御チャネルを生成する請求項１に記載の端末。
【請求項４】
基地局と継続的なスケジューリングによる通信を行う端末であって、
前記継続的なスケジューリングの開始を示す第１の拡張物理下りリンク制御チャネルと、前記継続的なスケジューリングの解放を示す第２の拡張物理下りリンク制御チャネルとをモニタリングする下りリンク制御チャネル検出部と、
前記下りリンク制御チャネル検出部が前記第１の拡張物理下りリンク制御チャネルを検出した場合、当該第１の拡張物理下りリンク制御チャネルの検出により示される物理下りリンク共用チャネルに対する応答情報を生成し、前記下りリンク制御チャネル検出部が前記第２の拡張物理下りリンク制御チャネルを検出した場合、当該第２の拡張物理下りリンク制御チャネルに対する応答情報を生成しない応答情報生成部と、
前記下りリンク制御チャネル検出部が前記第１の拡張物理下りリンク制御チャネルを検出した場合、前記物理下りリンク共用チャネルの送信に用いられるリソースブロックのインデクスに応じて決定される物理上りリンク制御チャネルリソースに、前記応答情報をマッピングして物理上りリンク制御チャネルを生成する上りリンク制御チャネル生成部と、
前記上りリンク制御チャネル生成部により生成された物理上りリンク制御チャネルを含む信号を送信する応答送信部と、を有する端末。
【請求項５】
１つ以上の端末と継続的なスケジューリングによる通信を行う基地局であって、
前記継続的なスケジューリングの開始を示す第１の拡張物理下りリンク制御チャネルと、前記継続的なスケジューリングの解放を示す第２の拡張物理下りリンク制御チャネルとを、前記端末のいずれかに通知する物理制御情報通知部と、
前記物理制御情報通知部が前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた、前記物理下りリンク共用チャネルに対する応答情報である第１の応答情報を受信し、前記物理制御情報通知部が前記第２の拡張物理下りリンク制御チャネルを通知する場合、上位層により設定された複数の物理上りリンク制御チャネルリソースのうちの１つの物理上りリンク制御チャネルリソースにマッピングされた、前記第２の拡張物理下りリンク制御チャネルに対する応答情報である第２の応答情報を受信する応答情報受信部と、を有する基地局。
【請求項６】
前記物理制御情報通知部は、前記継続的なスケジューリングの開始を示す第１の物理下りリンク制御チャネルと、前記継続的なスケジューリングの解放を示す第２の物理下りリンク制御チャネルとを、前記端末のいずれかに通知し、
前記応答情報受信部は、前記物理制御情報通知部が前記第１の物理下りリンク制御チャネルを通知する場合、当該第１の物理下りリンク制御チャネルの構成に用いられる制御チャネル要素のインデクスに応じて決定される物理上りリンク制御チャネルリソースにマッピングされた、当該第１の物理下りリンク制御チャネルの検出により示される物理下りリンク共用チャネルに対する応答情報である第３の応答情報を受信し、前記物理制御情報通知部が前記第２の物理下りリンク制御チャネルを通知する場合、当該第１の物理下りリンク制御チャネルの構成に用いられる制御チャネル要素のインデクスに応じて決定される物理上りリンク制御チャネルリソースにマッピングされた、当該第１の物理下りリンク制御チャネルに対する応答情報である第４の応答情報を受信する請求項５に記載の基地局。
【請求項７】
前記応答情報受信部は、前記物理制御情報通知部が前記第１の物理下りリンク制御チャネルを通知する場合、前記物理下りリンク共用チャネルの送信に用いられるリソースブロックのインデクスをリソースブロックグループサイズで除算した値に応じて決定される物理上りリンク制御チャネルリソースに、前記第１の応答情報をマッピングして物理上りリンク制御チャネルを生成する請求項５に記載の基地局。
【請求項８】
１つ以上の端末と継続的なスケジューリングによる通信を行う基地局であって、
前記継続的なスケジューリングの開始を示す第１の拡張物理下りリンク制御チャネルと、前記継続的なスケジューリングの解放を示す第２の拡張物理下りリンク制御チャネルとを、前記端末のいずれかに通知する物理制御情報通知部と、
前記物理制御情報通知部が前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた、前記物理下りリンク共用チャネルに対する応答情報を受信し、前記物理制御情報通知部が前記第２の拡張物理下りリンク制御チャネルを通知する場合、前記第２の拡張物理下りリンク制御チャネルに対する応答情報を受信しない応答情報受信部と、を有する基地局。
【請求項９】
基地局と端末との間で継続的なスケジューリングによる通信を行う通信システムであって、
前記端末は、
前記継続的なスケジューリングの開始を示す第１の拡張物理下りリンク制御チャネルと、前記継続的なスケジューリングの解放を示す第２の拡張物理下りリンク制御チャネルとをモニタリングする下りリンク制御チャネル検出部と、
前記下りリンク制御チャネル検出部が前記第１の拡張物理下りリンク制御チャネルを検出した場合、当該第１の拡張物理下りリンク制御チャネルの検出により示される物理下りリンク共用チャネルに対する応答情報である第１の応答情報を生成し、前記下りリンク制御チャネル検出部が前記第２の拡張物理下りリンク制御チャネルを検出した場合、当該第２の拡張物理下りリンク制御チャネルに対する応答情報である第２の応答情報を生成する応答情報生成部と、
前記下りリンク制御チャネル検出部が前記第１の拡張物理下りリンク制御チャネルを検出した場合、前記物理下りリンク共用チャネルの送信に用いられるリソースブロックのインデクスに応じて決定される物理上りリンク制御チャネルリソースに、前記第１の応答情報をマッピングして物理上りリンク制御チャネルを生成し、前記下りリンク制御チャネル検出部が前記第２の拡張物理下りリンク制御チャネルを検出した場合、上位層により設定された複数の物理上りリンク制御チャネルリソースのうちの１つの物理上りリンク制御チャネルリソースに、前記第２の応答情報をマッピングして物理上りリンク制御チャネルを生成する上りリンク制御チャネル生成部と、
前記上りリンク制御チャネル生成部により生成された物理上りリンク制御チャネルを含む信号を送信する応答送信部と、を有し、
前記基地局は、
前記第１の拡張物理下りリンク制御チャネルと、前記第２の拡張物理下りリンク制御チャネルとを、前記端末に通知する物理制御情報通知部と、
前記物理制御情報通知部が前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた前記第１の応答情報を受信し、前記物理制御情報通知部が前記第２の拡張物理下りリンク制御チャネルを通知する場合、上位層により設定された複数の物理上りリンク制御チャネルリソースのうちの１つの物理上りリンク制御チャネルリソースにマッピングされた前記第２の応答情報を受信する応答情報受信部と、を有する通信システム。
【請求項１０】
基地局と継続的なスケジューリングによる通信を行う端末における通信方法であって、
前記継続的なスケジューリングの開始を示す第１の拡張物理下りリンク制御チャネルと、前記継続的なスケジューリングの解放を示す第２の拡張物理下りリンク制御チャネルとをモニタリングするステップと、
前記第１の拡張物理下りリンク制御チャネルを検出した場合、当該第１の拡張物理下りリンク制御チャネルの検出により示される物理下りリンク共用チャネルに対する応答情報である第１の応答情報を生成し、前記第２の拡張物理下りリンク制御チャネルを検出した場合、当該第２の拡張物理下りリンク制御チャネルに対する応答情報である第２の応答情報を生成するステップと、
前記第１の拡張物理下りリンク制御チャネルを検出した場合、前記物理下りリンク共用チャネルの送信に用いられるリソースブロックのインデクスに応じて決定される物理上りリンク制御チャネルリソースに、前記第１の応答情報をマッピングして物理上りリンク制御チャネルを生成し、前記第２の拡張物理下りリンク制御チャネルを検出した場合、上位層により設定された複数の物理上りリンク制御チャネルリソースのうちの１つの物理上りリンク制御チャネルリソースに、前記第２の応答情報をマッピングして物理上りリンク制御チャネルを生成するステップと、
前記物理上りリンク制御チャネルを含む信号を送信するステップと、を有する通信方法。
【請求項１１】
１つ以上の端末と継続的なスケジューリングによる通信を行う基地局における通信方法であって、
前記継続的なスケジューリングの開始を示す第１の拡張物理下りリンク制御チャネルと、前記継続的なスケジューリングの解放を示す第２の拡張物理下りリンク制御チャネルとを、前記端末のいずれかに通知するステップと、
前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた、前記物理下りリンク共用チャネルに対する応答情報である第１の応答情報を受信し、前記第２の拡張物理下りリンク制御チャネルを通知する場合、上位層により設定された複数の物理上りリンク制御チャネルリソースのうちの１つの物理上りリンク制御チャネルリソースにマッピングされた、前記第２の拡張物理下りリンク制御チャネルに対する応答情報である第２の応答情報を受信するステップと、を有する通信方法。
【発明の詳細な説明】
【技術分野】
【０００１】
本発明は、端末、基地局、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（基地局装置、下りリンク送信装置、上りリンク受信装置、ｅＮｏｄｅＢ）および端末（端末装置、移動局装置、下りリンク受信装置、上りリンク送信装置、ＵＥ）は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。また、特に、ＬＴＥおよびＬＴＥ−Ａでは、下りリンクでＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いて高い周波数利用効率を実現するとともに、上りリンクでＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式を用いてピーク電力を抑制している。さらに、自動再送要求ＡＲＱ（Ａｕｔｏｍａｔｉｃ  Ｒｅｐｅａｔ  ｒｅＱｕｅｓｔ）と誤り訂正符号とを組み合わせたＨＡＲＱ（Ｈｙｂｒｉｄ  ＡＲＱ）が採用されている。
【０００３】
図２３は、ＨＡＲＱを行うＬＴＥの通信システム構成を示す図である。図２３では、基地局２３０１は端末２３０２に、物理下りリンク制御チャネル（ＰＤＣＣＨ：Ｐｙｓｉｃａｌ  Ｄｏｗｎｌｉｎｋ  Ｃｏｎｔｒｏｌ  ＣＨａｎｎｅｌ）２３０３を介して、下りリンク送信データ２３０４に関する制御情報の通知を行う。端末２３０２は、まず制御情報の検出を行い、検出された場合に、検出された制御情報を用いて下りリンク送信データ２３０４を抽出する。制御情報を検出した端末２３０２は、物理上りリンク制御チャネル（ＰＵＣＣＨ：Ｐｙｓｉｃａｌ  Ｕｐｌｉｎｋ  Ｃｏｎｔｒｏｌ  ＣＨａｎｎｅｌ）２３０５を介して、下りリンク送信データ２３０４抽出の成否を示すＨＡＲＱ応答情報を基地局２３０１に報告する。このとき、端末２３０２が利用可能なＰＵＣＣＨ２３０５のリソース（ＰＵＣＣＨリソース）は、制御情報が割り当てられていたＰＤＣＣＨ２３０３のリソースから黙示的／暗示的に一意に決まるようになっている。これにより、端末２３０２がＨＡＲＱ応答情報を報告するに際して、動的に割り当てられたＰＵＣＣＨリソースを用いることができる。また、端末間でＰＵＣＣＨリソースが重複しないようにすることができる（非特許文献１、非特許文献２）。
【先行技術文献】
【非特許文献】
【０００４】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ  （Ｒｅｌｅａｓｅ  １０）、２０１１年６月、３ＧＰＰ  ＴＳ  ３６．２１１  Ｖ１０．２．０  （２０１１−０６）。
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １０）、２０１０年６月、３ＧＰＰ  ＴＳ  ３６．２１３  Ｖ１０．２．０  （２０１１−０６）。
【発明の概要】
【発明が解決しようとする課題】
【０００５】
しかしながら、ＨＡＲＱを行うことができる無線通信システムにおいて、１つの基地局が収容できる端末の数を増加するために、物理下りリンク制御チャネルだけでなく、拡張された物理下りリンク制御チャネルを用いることが考えられる。あるいは、セル半径の小さい基地局に対して物理上りリンク制御チャネルリソースを送信することが考えられる。そのため、従来の物理上りリンク制御チャネルリソースの指定方法では、基地局が拡張された物理下りリンク制御チャネルで制御情報を送信する場合に物理上りリンク制御チャネルリソースの指定が基地局と端末間で行われることができず、伝送効率の向上が妨げられる要因となる。
【０００６】
本発明は、上記問題を鑑みてなされたものであり、その目的は、基地局と端末が通信する無線通信システムにおいて、基地局が端末に対する制御情報を、物理下りリンク制御チャネルだけでなく、拡張された物理下りリンク制御チャネルを介して通知する場合や、セル半径の小さい基地局に対して物理上りリンク制御チャネルリソースを送信する場合においても、効率的に物理上りリンク制御チャネルリソースの指定を行うことができる基地局、端末、通信システムおよび通信方法を提供することにある。
【課題を解決するための手段】
【０００７】
（１）この発明は上述した課題を解決するためになされたもので、本発明の一態様による端末は、基地局と継続的なスケジューリングによる通信を行う端末であって、前記継続的なスケジューリングの開始を示す第１の拡張物理下りリンク制御チャネルと、前記継続的なスケジューリングの解放を示す第２の拡張物理下りリンク制御チャネルとをモニタリングする下りリンク制御チャネル検出部と、前記下りリンク制御チャネル検出部が前記第１の拡張物理下りリンク制御チャネルを検出した場合、当該第１の拡張物理下りリンク制御チャネルの検出により示される物理下りリンク共用チャネルに対する応答情報である第１の応答情報を生成し、前記下りリンク制御チャネル検出部が前記第２の拡張物理下りリンク制御チャネルを検出した場合、当該第２の拡張物理下りリンク制御チャネルに対する応答情報である第２の応答情報を生成する応答情報生成部と、前記下りリンク制御チャネル検出部が前記第１の拡張物理下りリンク制御チャネルを検出した場合、前記物理下りリンク共用チャネルの送信に用いられるリソースブロックのインデクスに応じて決定される物理上りリンク制御チャネルリソースに、前記第１の応答情報をマッピングして物理上りリンク制御チャネルを生成し、前記下りリンク制御チャネル検出部が前記第２の拡張物理下りリンク制御チャネルを検出した場合、上位層により設定された複数の物理上りリンク制御チャネルリソースのうちの１つの物理上りリンク制御チャネルリソースに、前記第２の応答情報をマッピングして物理上りリンク制御チャネルを生成する上りリンク制御チャネル生成部と、前記上りリンク制御チャネル生成部により生成された物理上りリンク制御チャネルを含む信号を送信する応答送信部と、を有することを特徴とする。
【０００８】
（２）また、本発明の一態様による端末は上記の端末であって、前記下りリンク制御チャネル検出部は、前記継続的なスケジューリングの開始を示す第１の物理下りリンク制御チャネルと、前記継続的なスケジューリングの解放を示す第２の物理下りリンク制御チャネルとをモニタリングし、前記応答情報生成部は、前記下りリンク制御チャネル検出部が前記第１の物理下りリンク制御チャネルを検出した場合、当該第１の物理下りリンク制御チャネルの検出により示される物理下りリンク共用チャネルに対する応答情報である第３の応答情報を生成し、前記下りリンク制御チャネル検出部が前記第２の物理下りリンク制御チャネルを検出した場合、当該第２の物理下りリンク制御チャネルに対する応答情報である第４の応答情報を生成し、前記上りリンク制御チャネル生成部は、前記下りリンク制御チャネル検出部が前記第１の物理下りリンク制御チャネルを検出した場合、当該第１の物理下りリンク制御チャネルの構成に用いられる制御チャネル要素のインデクスに応じて決定される物理上りリンク制御チャネルリソースに、前記第３の応答情報をマッピングして物理上りリンク制御チャネルを生成し、前記下りリンク制御チャネル検出部が前記第２の物理下りリンク制御チャネルを検出した場合、当該第２の物理下りリンク制御チャネルの構成に用いられる制御チャネル要素のインデクスに応じて決定される物理上りリンク制御チャネルリソースに、前記第４の応答情報をマッピングして物理上りリンク制御チャネルを生成することを特徴とする。
【０００９】
（３）また、本発明の一態様による端末は上記の端末であって、前記上りリンク制御チャネル生成部は、前記下りリンク制御チャネル検出部が前記第１の拡張物理下りリンク制御チャネルを検出した場合、前記物理下りリンク共用チャネルの送信に用いられるリソースブロックのインデクスをリソースブロックグループサイズで除算した値に応じて決定される物理上りリンク制御チャネルリソースに、前記第１の応答情報をマッピングして物理上りリンク制御チャネルを生成することを特徴とする。
【００１０】
（４）また、本発明の一態様による端末は、基地局と継続的なスケジューリングによる通信を行う端末であって、前記継続的なスケジューリングの開始を示す第１の拡張物理下りリンク制御チャネルと、前記継続的なスケジューリングの解放を示す第２の拡張物理下りリンク制御チャネルとをモニタリングする下りリンク制御チャネル検出部と、前記下りリンク制御チャネル検出部が前記第１の拡張物理下りリンク制御チャネルを検出した場合、当該第１の拡張物理下りリンク制御チャネルの検出により示される物理下りリンク共用チャネルに対する応答情報を生成し、前記下りリンク制御チャネル検出部が前記第２の拡張物理下りリンク制御チャネルを検出した場合、当該第２の拡張物理下りリンク制御チャネルに対する応答情報を生成しない応答情報生成部と、前記下りリンク制御チャネル検出部が前記第１の拡張物理下りリンク制御チャネルを検出した場合、前記物理下りリンク共用チャネルの送信に用いられるリソースブロックのインデクスに応じて決定される物理上りリンク制御チャネルリソースに、前記応答情報をマッピングして物理上りリンク制御チャネルを生成する上りリンク制御チャネル生成部と、前記上りリンク制御チャネル生成部により生成された物理上りリンク制御チャネルを含む信号を送信する応答送信部と、を有することを特徴とする。
【００１１】
（５）また、本発明の一態様による基地局は、１つ以上の端末と継続的なスケジューリングによる通信を行う基地局であって、前記継続的なスケジューリングの開始を示す第１の拡張物理下りリンク制御チャネルと、前記継続的なスケジューリングの解放を示す第２の拡張物理下りリンク制御チャネルとを、前記端末のいずれかに通知する物理制御情報通知部と、前記物理制御情報通知部が前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた、前記物理下りリンク共用チャネルに対する応答情報である第１の応答情報を受信し、前記物理制御情報通知部が前記第２の拡張物理下りリンク制御チャネルを通知する場合、上位層により設定された複数の物理上りリンク制御チャネルリソースのうちの１つの物理上りリンク制御チャネルリソースにマッピングされた、前記第２の拡張物理下りリンク制御チャネルに対する応答情報である第２の応答情報を受信する応答情報受信部と、を有することを特徴とする。
【００１２】
（６）また、本発明の一態様による基地局は上記の基地局であって、前記物理制御情報通知部は、前記継続的なスケジューリングの開始を示す第１の物理下りリンク制御チャネルと、前記継続的なスケジューリングの解放を示す第２の物理下りリンク制御チャネルとを、前記端末のいずれかに通知し、応答情報受信部は、前記物理制御情報通知部が前記第１の物理下りリンク制御チャネルを通知する場合、当該第１の物理下りリンク制御チャネルの構成に用いられる制御チャネル要素のインデクスに応じて決定される物理上りリンク制御チャネルリソースにマッピングされた、当該第１の物理下りリンク制御チャネルの検出により示される物理下りリンク共用チャネルに対する応答情報である第３の応答情報を受信し、前記物理制御情報通知部が前記第２の物理下りリンク制御チャネルを通知する場合、当該第１の物理下りリンク制御チャネルの構成に用いられる制御チャネル要素のインデクスに応じて決定される物理上りリンク制御チャネルリソースにマッピングされた、当該第１の物理下りリンク制御チャネルに対する応答情報である第４の応答情報を受信することを特徴とする。
【００１３】
（７）また、本発明の一態様による基地局は上記の基地局であって、前記応答情報受信部は、前記物理制御情報通知部が前記第１の物理下りリンク制御チャネルを通知する場合、前記物理下りリンク共用チャネルの送信に用いられるリソースブロックのインデクスをリソースブロックグループサイズで除算した値に応じて決定される物理上りリンク制御チャネルリソースに、前記第１の応答情報をマッピングして物理上りリンク制御チャネルを生成することを特徴とする。
【００１４】
（８）また、本発明の一態様による基地局は、１つ以上の端末と継続的なスケジューリングによる通信を行う基地局であって、前記継続的なスケジューリングの開始を示す第１の拡張物理下りリンク制御チャネルと、前記継続的なスケジューリングの解放を示す第２の拡張物理下りリンク制御チャネルとを、前記端末のいずれかに通知する物理制御情報通知部と、前記物理制御情報通知部が前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた、前記物理下りリンク共用チャネルに対する応答情報を受信し、前記物理制御情報通知部が前記第２の拡張物理下りリンク制御チャネルを通知する場合、前記第２の拡張物理下りリンク制御チャネルに対する応答情報を受信しない応答情報受信部と、を有することを特徴とする。
【００１５】
（９）また、本発明の一態様による通信システムは、基地局と端末との間で継続的なスケジューリングによる通信を行う通信システムであって、前記端末は、前記継続的なスケジューリングの開始を示す第１の拡張物理下りリンク制御チャネルと、前記継続的なスケジューリングの解放を示す第２の拡張物理下りリンク制御チャネルとをモニタリングする下りリンク制御チャネル検出部と、前記下りリンク制御チャネル検出部が前記第１の拡張物理下りリンク制御チャネルを検出した場合、当該第１の拡張物理下りリンク制御チャネルの検出により示される物理下りリンク共用チャネルに対する応答情報である第１の応答情報を生成し、前記下りリンク制御チャネル検出部が前記第２の拡張物理下りリンク制御チャネルを検出した場合、当該第２の拡張物理下りリンク制御チャネルに対する応答情報である第２の応答情報を生成する応答情報生成部と、前記下りリンク制御チャネル検出部が前記第１の拡張物理下りリンク制御チャネルを検出した場合、前記物理下りリンク共用チャネルの送信に用いられるリソースブロックのインデクスに応じて決定される物理上りリンク制御チャネルリソースに、前記第１の応答情報をマッピングして物理上りリンク制御チャネルを生成し、前記下りリンク制御チャネル検出部が前記第２の拡張物理下りリンク制御チャネルを検出した場合、上位層により設定された複数の物理上りリンク制御チャネルリソースのうちの１つの物理上りリンク制御チャネルリソースに、前記第２の応答情報をマッピングして物理上りリンク制御チャネルを生成する上りリンク制御チャネル生成部と、前記上りリンク制御チャネル生成部により生成された物理上りリンク制御チャネルを含む信号を送信する応答送信部と、を有し、前記基地局は、前記第１の拡張物理下りリンク制御チャネルと、前記第２の拡張物理下りリンク制御チャネルとを、前記端末に通知する物理制御情報通知部と、前記物理制御情報通知部が前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた前記第１の応答情報を受信し、前記物理制御情報通知部が前記第２の拡張物理下りリンク制御チャネルを通知する場合、上位層により設定された複数の物理上りリンク制御チャネルリソースのうちの１つの物理上りリンク制御チャネルリソースにマッピングされた前記第２の応答情報を受信する応答情報受信部と、を有することを特徴とする。
【００１６】
（１０）また、本発明の一態様による通信方法は、基地局と継続的なスケジューリングによる通信を行う端末における通信方法であって、前記継続的なスケジューリングの開始を示す第１の拡張物理下りリンク制御チャネルと、前記継続的なスケジューリングの解放を示す第２の拡張物理下りリンク制御チャネルとをモニタリングするステップと、前記第１の拡張物理下りリンク制御チャネルを検出した場合、当該第１の拡張物理下りリンク制御チャネルの検出により示される物理下りリンク共用チャネルに対する応答情報である第１の応答情報を生成し、前記第２の拡張物理下りリンク制御チャネルを検出した場合、当該第２の拡張物理下りリンク制御チャネルに対する応答情報である第２の応答情報を生成するステップと、前記第１の拡張物理下りリンク制御チャネルを検出した場合、前記物理下りリンク共用チャネルの送信に用いられるリソースブロックのインデクスに応じて決定される物理上りリンク制御チャネルリソースに、前記第１の応答情報をマッピングして物理上りリンク制御チャネルを生成し、前記第２の拡張物理下りリンク制御チャネルを検出した場合、上位層により設定された複数の物理上りリンク制御チャネルリソースのうちの１つの物理上りリンク制御チャネルリソースに、前記第２の応答情報をマッピングして物理上りリンク制御チャネルを生成するステップと、前記物理上りリンク制御チャネルを含む信号を送信するステップと、を有することを特徴とする。
【００１７】
（１１）また、本発明の一態様による通信方法は、１つ以上の端末と継続的なスケジューリングによる通信を行う基地局における通信方法であって、前記継続的なスケジューリングの開始を示す第１の拡張物理下りリンク制御チャネルと、前記継続的なスケジューリングの解放を示す第２の拡張物理下りリンク制御チャネルとを、前記端末のいずれかに通知するステップと、前記第１の拡張物理下りリンク制御チャネルを通知する場合、当該第１の拡張物理下りリンク制御チャネルの検出により示される物理下りリンク共用チャネルの送信に用いられるリソースブロックのインデクスに応じて決定される物理上りリンク制御チャネルリソースにマッピングされた、前記物理下りリンク共用チャネルに対する応答情報である第１の応答情報を受信し、前記第２の拡張物理下りリンク制御チャネルを通知する場合、上位層により設定された複数の物理上りリンク制御チャネルリソースのうちの１つの物理上りリンク制御チャネルリソースにマッピングされた、前記第２の拡張物理下りリンク制御チャネルに対する応答情報である第２の応答情報を受信するステップと、を有することを特徴とする。
【発明の効果】
【００１８】
この発明によれば、基地局と端末が通信する無線通信システムにおいて、基地局が端末に対する制御情報を、物理下りリンク制御チャネルだけでなく、拡張された物理下りリンク制御チャネルを介して通知する場合や、セル半径の小さい基地局に対して物理上りリンク制御チャネルリソースを送信する場合においても、効率的に物理上りリンク制御チャネルリソースの指定することができる。
【図面の簡単な説明】
【００１９】
【図１】本発明の第１の実施形態に係る通信システム構成例を示す図である。
【図２】同実施形態に係る下りリンクの無線フレーム構成の一例を示す図である。
【図３】同実施形態に係る上りリンクの無線フレーム構成の一例を示す図である。
【図４】同実施形態に係る基地局のブロック構成の一例を示す概略図である。
【図５】同実施形態に係る端末のブロック構成の一例を示す概略図である。
【図６】同実施形態に係るＰＵＣＣＨが割り当てられる上りリンク制御チャネル領域における物理上りリソースブロック構成を示す図である。
【図７】同実施形態に係る上りリンク制御チャネル論理リソースを示す対応表である。
【図８】同実施形態に係るＰＤＣＣＨ領域、およびＰＤＳＣＨ領域における物理リソースブロックＰＲＢと仮想リソースブロックＶＲＢとを示す図である。
【図９】同実施形態に係るＥ−ＰＤＣＣＨのマッピングの一例を示す図である。
【図１０】同実施形態に係るＥ−ＰＤＣＣＨのマッピングの他の一例を示す図である。
【図１１】同実施形態に係るＥ−ＰＤＣＣＨ構成要素を示す図である。
【図１２】同実施形態に係る下りリンクグラントとＰＵＣＣＨリソースの割り当ての一例を示す図である。
【図１３】同実施形態に係るＰＵＣＣＨリソースの割り当ての他の例を示す図である。
【図１４】同実施形態に係る下りリンクグラントにおけるビットフィールドの値とＰＵＣＣＨリソースの対応を示す図である。
【図１５】同実施形態に係る下りリンクグラントとＰＵＣＣＨリソースの割り当ての一例を示す図である。
【図１６】同実施形態に係るシステム帯域幅に対するＲＢＧサイズＰの値の対応を示す図である。
【図１７】同実施形態に係る基地局と端末との間の下りリンクデータ送信およびその応答手続きの流れを示す図である。
【図１８】同実施形態に係る基地局と端末との間の下りリンクデータ送信およびその応答手続きの別の流れを示す図である。
【図１９】同実施形態に係るＳＰＳのリリースを指定する制御チャネルに対応するＰＵＣＣＨリソースの指定方法を示す図である。
【図２０】同実施形態に係るＰＵＣＣＨリソースの指定方法の別の切り替え方法を示す図である。
【図２１】本発明の第２の実施形態に係る基地局と端末との間の下りリンクデータ送信およびその応答手続きの別の流れである。
【図２２】同実施形態に係るＳＰＳのリリースを指定する制御チャネルに対応するＰＵＣＣＨリソースの指定方法を示す図である。
【図２３】通信システム構成例を示す図である。
【発明を実施するための形態】
【００２０】
（第１の実施形態）
以下、本発明の第１の実施形態について説明する。本第１の実施形態における通信システムは、基地局（基地局装置、下りリンク送信装置、上りリンク受信装置、ｅＮｏｄｅＢ）および端末（端末装置、移動局装置、下りリンク受信装置、上りリンク送信装置、ＵＥ）を備える。
【００２１】
図１は、第１の実施形態に係る通信システム構成例を示す図である。図１では、基地局１０１は端末１０２に、ＰＤＣＣＨおよび／または拡張された物理下りリンク制御チャネル（Ｅ−ＰＤＣＣＨ：Ｅｎｈａｎｃｅｄ−ＰＤＣＣＨ）１０３を介して、下りリンク送信データ１０４に関する制御情報の通知を行う。端末１０２は、まず制御情報の検出を行い、検出された場合に、検出された制御情報を用いて下りリンク送信データ１０４を抽出する。制御情報を検出した端末１０２は、ＰＵＣＣＨを介して、下りリンク送信データ１０４抽出の成否を示すＨＡＲＱ応答情報（「Ａｃｋ／Ｎａｃｋ」とも称す）を基地局１０１に報告する。このとき、端末１０２がＰＤＣＣＨにおいて制御情報を検出した場合、端末１０２が利用可能な物理上りリンク制御チャネル（ＰＵＣＣＨ）１０５のリソースは、制御情報が割り当てられていたＰＤＣＣＨのリソースから黙示的／暗示的に一意に決まるようになっている。また、端末１０２がＥ−ＰＤＣＣＨ１０３において制御情報を検出した場合、端末１０２が利用可能なＰＵＣＣＨ１０５のリソースは、制御情報が割り当てられていたＥ−ＰＤＣＣＨ１０３のリソースから黙示的／暗示的に一意に決まるようになっている。
【００２２】
図２は、本実施形態に係る下りリンクの無線フレーム構成の一例を示す図である。下りリンクはＯＦＤＭアクセス方式が用いられる。下りリンクでは、ＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２３】
図３は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。なお、ここでは一つのＣＣにおける上りリンクサブフレームを記載しているが、ＣＣ毎に上りリンクサブフレームが規定される。
【００２４】
図４は、本実施形態に係る基地局１０１のブロック構成の一例を示す概略図である。基地局１０１は、コードワード生成部４０１、下りリンクサブフレーム生成部４０２、ＯＦＤＭ信号送信部（物理制御情報通知部）４０４、送信アンテナ（基地局送信アンテナ）４０５、受信アンテナ（基地局受信アンテナ）４０６、ＳＣ−ＦＤＭＡ信号受信部（応答情報受信部）４０７、上りリンクサブフレーム処理部４０８、上位層（上位層制御情報通知部）４１０を有する。下りリンクサブフレーム生成部４０２は、物理下りリンク制御チャネル生成部４０３を有する。また、上りリンクサブフレーム処理部４０８は、物理上りリンク制御チャネル抽出部４０９を有する。
【００２５】
図５は、本実施形態に係る端末１０２のブロック構成の一例を示す概略図である。端末１０２は、受信アンテナ（端末受信アンテナ）５０１、ＯＦＤＭ信号受信部（下りリンク受信部）５０２、下りリンクサブフレーム処理部５０３、コードワード抽出部（データ抽出部）５０５、上位層（上位層制御情報取得部）５０６、応答情報生成部５０７、上りリンクサブフレーム生成部５０８、ＳＣ−ＦＤＭＡ信号送信部（応答送信部）５１０、送信アンテナ（端末送信アンテナ）５１１を有する。下りリンクサブフレーム処理部５０３は、物理下りリンク制御チャネル抽出部（下りリンク制御チャネル検出部）５０４を有する。また、上りリンクサブフレーム生成部５０８は、物理上りリンク制御チャネル生成部（上りリンク制御チャネル生成部）５０９を有する。
【００２６】
まず、図４および図５を用いて、下りリンクデータの送受信の流れについて説明する。基地局１０１では、上位層４１０から送られてくる送信データ（トランスポートブロックとも称す）は、コードワード生成部４０１において、誤り訂正符号化、レートマッチング処理などの処理が施され、コードワードが生成される。１つのセルにおける１つのサブフレームにおいて、最大２つのコードワードが同時に送信される。下りリンクサブフレーム生成部４０２では、上位層４１０の指示により、下りリンクサブフレームが生成される。まず、コードワード生成部４０１において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。なお、下りリンクにおけるＲＥは、各ＯＦＤＭシンボル上の各サブキャリアに対応して規定される。このとき、上位層４１０から送られてくる送信データ系列は、専用ＲＲＣ（Ｒａｄｉｏ  Ｒｅｓｏｕｒｃｅ  Ｃｏｎｔｒｏｌ）シグナリング用の制御情報（上位層制御情報）を含む。また、物理下りリンク制御チャネル生成部４０３では、物理下りリンク制御チャネルが生成される。ここで、物理下りリンク制御チャネルに含まれる制御情報（下りリンク制御情報、下りリンクグラント）は、下りリンクにおける変調方式などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いるＨＡＲＱの制御情報（リダンダンシーバージョン・ＨＡＲＱプロセス番号・新データ指標）、ＰＵＣＣＨの閉ループ送信電力制御に用いるＰＵＣＣＨ−ＴＰＣ（Ｔｒａｎｓｍｉｓｓｉｏｎ  Ｐｏｗｅｒ  Ｃｏｎｔｒｏｌ）コマンドなどの情報を含む。下りリンクサブフレーム生成部４０２は、上位層４１０の指示により、物理下りリンク制御チャネルを下りリンクサブフレーム内のＲＥにマッピングする。下りリンクサブフレーム生成部４０２で生成されたアンテナポート毎の下りリンクサブフレームは、ＯＦＤＭ信号送信部４０４においてＯＦＤＭ信号に変調され、送信アンテナ４０５を介して送信される。
【００２７】
端末１０２では、受信アンテナ５０１を介して、ＯＦＤＭ信号受信部５０２においてＯＦＤＭ信号が受信され、ＯＦＤＭ復調処理が施される。下りリンクサブフレーム処理部５０３は、まず物理下りリンク制御チャネル抽出部５０４においてＰＤＣＣＨ（第１の下りリンク制御チャネル）あるいはＥ−ＰＤＣＣＨ（第２の下りリンク制御チャネル）を検出する。より具体的には、ＰＤＣＣＨが配置され得る領域（第１の下りリンク制御チャネル領域）あるいはＥ−ＰＤＣＣＨが配置され得る領域（第２の下りリンク制御チャネル領域、潜在的Ｅ−ＰＤＣＣＨ）をデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、物理下りリンク制御チャネル抽出部５０４は、ＰＤＣＣＨ領域に配置されたＰＤＣＣＨと、ＰＤＣＣＨ領域とは異なるＰＤＳＣＨ領域に配置されたＥ−ＰＤＣＣＨとをモニタリングする。ＣＲＣビットが予め基地局から割り当てられたＩＤと一致する場合、下りリンクサブフレーム処理部５０３は、ＰＤＣＣＨあるいはＥ−ＰＤＣＣＨを検出できたものと認識し、検出したＰＤＣＣＨあるいはＥ−ＰＤＣＣＨに含まれる制御情報を用いてＰＤＳＣＨを抽出する。より具体的には、下りリンクサブフレーム生成部４０２におけるＲＥマッピング処理や変調処理に対応するＲＥデマッピング処理や復調処理などが施される。受信した下りリンクサブフレームから抽出されたＰＤＳＣＨは、コードワード抽出部５０５に送られる。コードワード抽出部５０５では、コードワード生成部４０１におけるレートマッチング処理、誤り訂正符号化に対応するレートマッチング処理、誤り訂正復号化などが施され、トランスポートブロックが抽出され、上位層５０６に送られる。すなわち、物理下りリンク制御チャネル抽出部５０４がＰＤＣＣＨあるいはＥ−ＰＤＣＣＨを検出した場合、コードワード抽出部５０５は検出されたＰＤＣＣＨあるいはＥ−ＰＤＣＣＨに関連するＰＤＳＣＨにおける送信データを抽出して上位層５０６に送る。
【００２８】
次に、下りリンク送信データに対するＨＡＲＱ応答情報の送受信の流れについて説明する。端末１０２では、コードワード抽出部５０５においてトランスポートブロックの抽出の成否が決定すると、成否を示す情報が応答情報生成部５０７に送られる。応答情報生成部５０７では、ＨＡＲＱ応答情報が生成され、上りリンクサブフレーム生成部５０８内の物理上りリンク制御チャネル生成部５０９に送られる。上りリンクサブフレーム生成部５０８では、上位層５０６から送られるパラメータと、物理下りリンク制御チャネル抽出部５０４においてＰＤＣＣＨあるいはＥ−ＰＤＣＣＨが配置されていたリソース、Ｅ−ＰＤＣＣＨでしていされるＰＤＳＣＨのリソース、あるいは上位層の設定とに基づいて、物理上りリンク制御チャネル生成部５０９においてＨＡＲＱ応答情報（上りリンク制御情報）を含むＰＵＣＣＨが生成され、生成されたＰＵＣＣＨが上りリンクサブフレーム内のＲＢにマッピングされる。すなわち、ＰＵＣＣＨリソースに応答情報がマッピングされてＰＵＣＣＨが生成される。ＳＣ−ＦＤＭＡ信号送信部５１０は、上りリンクサブフレームにＳＣ−ＦＤＭＡ変調を施してＳＣ−ＦＤＭＡ信号を生成し、送信アンテナ５１１を介して送信する。
【００２９】
基地局１０１では、受信アンテナ４０６を介して、ＳＣ−ＦＤＭＡ信号受信部４０７においてＳＣ−ＦＤＭＡ信号が受信され、ＳＣ−ＦＤＭＡ復調処理が施される。上りリンクサブフレーム処理部４０８では、上位層４１０の指示により、ＰＵＣＣＨがマッピングされたＲＢを抽出し、物理上りリンク制御チャネル抽出部４０９においてＰＵＣＣＨに含まれるＨＡＲＱ応答制御情報を抽出する。抽出されたＨＡＲＱ応答制御情報は上位層４１０に送られる。ＨＡＲＱ応答制御情報は、上位層４１０によるＨＡＲＱの制御に用いられる。
【００３０】
次に、上りリンクサブフレーム生成部５０８におけるＰＵＣＣＨリソースに関して説明する。ＨＡＲＱ応答制御情報は、サイクリックシフトされた擬似ＣＡＺＡＣ（Ｃｏｎｓｔａｎｔ−Ａｍｐｌｉｔｕｄｅ  Ｚｅｒｏ−ＡｕｔｏＣｏｒｒｅｌａｔｉｏｎ）系列を用いてＳＣ−ＦＤＭＡサンプル領域に拡散され、さらに符号長が４の直交符号ＯＣＣ（Ｏｒｔｈｏｇｏｎａｌ  Ｃｏｖｅｒ  Ｃｏｄｅ）を用いてスロット内の４ＳＣ−ＦＤＭＡシンボルに拡散される。また、２つの符号により拡散されたシンボルは、２つの周波数が異なるＲＢにマッピングされる。こうして、ＰＵＣＣＨリソースは、サイクリックシフト量・直交符号・マッピングされるＲＢの３つの要素により規定される。なお、ＳＣ−ＦＤＭＡサンプル領域におけるサイクリックシフトは、周波数領域で一様増加する位相回転で表現することもできる。
【００３１】
図６は、ＰＵＣＣＨが割り当てられる上りリンク制御チャネル領域における物理上りリソースブロック構成（上りリンク制御チャネル物理リソース）を示す図である。それぞれのＲＢのペアは、第１スロットと第２スロットとで異なる周波数の２つのＲＢから構成される。１つのＰＵＣＣＨは、ｍ＝０、１、２、・・・のうちのいずれかのＲＢのペアに配置される。
【００３２】
図７は上りリンク制御チャネル論理リソースを示す対応表である。ここでは、ＰＵＣＣＨを構成する要素として、ＯＣ０、ＯＣ１、ＯＣ２の３つの直交符号と、ＣＳ０、ＣＳ２、ＣＳ４、ＣＳ６、ＣＳ８、ＣＳ１０の６つのサイクリックシフト量と、周波数リソースを示すｍを想定した場合のＰＵＣＣＨリソースの一例である。ＰＵＣＣＨリソース（上りリンク制御チャネル論理リソース）を示すインデクスであるｎＰＵＣＣＨに対応して、直交符号とサイクリックシフト量とｍとの各組み合わせが一意に規定されている。なお、図７に示すｎＰＵＣＣＨと、直交符号とサイクリックシフト量とｍとの各組み合わせとの対応は一例であり、他の対応であってもよい。例えば、連続するｎＰＵＣＣＨ間で、サイクリックシフト量が変わるように対応させてもよいし、ｍが変わるように対応させてもよい。また、ＣＳ０、ＣＳ２、ＣＳ４、ＣＳ６、ＣＳ８、ＣＳ１０とは異なるサイクリックシフト量であるＣＳ１、ＣＳ３、ＣＳ５、ＣＳ７、ＣＳ９、ＣＳ１１を用いてもよい。また、ここではｍの値がＮＦ２以上の場合を示している。ｍがＮＦ２未満である周波数リソースは、チャネル状態情報のフィードバックのためのＰＵＣＣＨ送信に予約されたＮＦ２個の周波数リソースである。
【００３３】
次に、ＰＤＣＣＨとＥ−ＰＤＣＣＨについて説明する。図８はＰＤＣＣＨ領域、およびＰＤＳＣＨ領域における物理リソースブロックＰＲＢ（Ｐｈｙｓｉｃａｌ  ＲＢ）と仮想リソースブロックＶＲＢ（Ｖｉｒｔｕａｌ  ＲＢ）とを示す図である。実際のサブフレーム上のＲＢはＰＲＢと呼ばれる。また、ＲＢの割り当てに用いられる論理的なリソースであるＲＢはＶＲＢと呼ばれる。ＮＤＬＰＲＢは、下りリンクＣＣ内で周波数方向に並べられたＰＲＢ数である。ＰＲＢ（あるいはＰＲＢペア）には番号ｎＰＲＢが振られ、ｎＰＲＢは周波数の低い方から順に、０、１、２、・・・、ＮＤＬＰＲＢ−１となる。下りリンクＣＣ内で周波数方向に並べられたＶＲＢ数はＮＤＬＰＲＢに等しい。ＶＲＢ（あるいはＶＲＢペア）には番号ｎＶＲＢが振られ、ｎＶＲＢは周波数の低い方から順に、０、１、２、・・・、ＮＤＬＰＲＢ−１となる。ＰＲＢの各々とＶＲＢの各々は、明示的あるいは黙示的／暗示的にマッピングされる。なお、ここでいう番号は、インデクスとも表現できる。
【００３４】
ＰＤＣＣＨは、ＰＤＣＣＨ領域内の複数の制御チャネルエレメント（ＣＣＥ：Ｃｏｎｔｒｏｌ  Ｃｈａｎｎｅｌ  Ｅｌｅｍｅｎｔ）により構成される。ＣＣＥは、複数の下りリンクリソースエレメントＲＥ（１つのＯＦＤＭシンボルおよび１本のサブキャリアで規定されるリソース）により構成される。ＰＤＣＣＨ領域内のＣＣＥには、ＣＣＥを識別するための番号ｎＣＣＥが付与されている。ＣＣＥの番号付けは、予め決められた規則に基づいて行なわれる。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩ（Ｄｏｗｎｌｉｎｋ  Ｃｏｎｔｒｏｌ  Ｉｎｆｏｒｍａｔｉｏｎ；下りリンク制御情報）（ＰＤＣＣＨ、またはＥ−ＰＤＣＣＨで送信される制御情報）のビット数に応じて基地局１０１において設定される。なお、端末に対して用いられる可能性のあるＣＣＥ集合レベルの組み合わせは予め決められている。また、ｎ個のＣＣＥからなる集合を、「ＣＣＥ集合レベルｎ」という。
【００３５】
１個のＲＥＧ（ＲＥ  Ｇｒｏｕｐ）は周波数領域の隣接する４個のＲＥにより構成される。さらに、１個のＣＣＥは、ＰＤＣＣＨ領域内で周波数領域及び時間領域に分散した９個の異なるＲＥＧにより構成される。具体的には、下りリンクＣＣ全体に対して、番号付けされた全てのＲＥＧに対してブロックインタリーバを用いてＲＥＧ単位でインタリーブが行なわれ、インタリーブ後の番号の連続する９個のＲＥＧにより１個のＣＣＥが構成される。
【００３６】
各端末には、ＰＤＣＣＨを検索する領域（探索領域、検索領域）であるＳＳ（Ｓｅａｒｃｈ  Ｓｐａｃｅ）が設定される。ＳＳは、複数のＣＣＥから構成される。ＣＣＥには予め番号が振られており、番号の連続する複数のＣＣＥからＳＳは構成される。あるＳＳを構成するＣＣＥ数は予め決められている。各ＣＣＥ集合レベルのＳＳは、複数のＰＤＣＣＨの候補の集合体により構成される。ＳＳは、構成されるＣＣＥのうち、番号が最も小さいＣＣＥの番号がセル内で共通であるセル固有の共通探索領域ＣＳＳ（Ｃｅｌｌ−ｓｐｅｃｉｆｉｃ  ＳＳ、Ｃｏｍｍｏｍ  ＳＳ）と、番号が最も小さいＣＣＥの番号が端末固有である端末固有探索領域ＵＳＳ（ＵＥ−ｓｐｅｃｉｆｉｃ  ＳＳ）とに分類される。ＣＳＳには、システム情報あるいはページングに関する情報など、複数の端末１０２が読む制御情報が割り当てられた（含まれた）ＰＤＣＣＨ、あるいは下位の送信方式へのフォールバックやランダムアクセスの指示を示す下りリンク／上りリンクグラントが割り当てられた（含まれた）ＰＤＣＣＨを配置することができる。
【００３７】
基地局１０１は、端末１０２において設定されるＳＳ内の１個以上のＣＣＥを用いてＰＤＣＣＨを送信する。端末１０２は、ＳＳ内の１個以上のＣＣＥを用いて受信信号の復号を行ない、自身宛てのＰＤＣＣＨを検出するための処理を行なう。前述したように、この処理をブラインドデコーディングと呼ぶ。端末１０２は、ＣＣＥ集合レベル毎に異なるＳＳを設定する。その後、端末１０２は、ＣＣＥ集合レベル毎に異なるＳＳ内の予め決められた組み合わせのＣＣＥを用いてブラインドデコーディングを行なう。言い換えると、端末１０２は、ＣＣＥ集合レベル毎に異なるＳＳ内の各ＰＤＣＣＨの候補に対してブラインドデコーディングを行なう。端末１０２におけるこの一連の処理をＰＤＣＣＨのモニタリングという。
【００３８】
次に、図９はＥ−ＰＤＣＣＨ領域におけるＥ−ＰＤＣＣＨのマッピングの一例を示す図である。この局所的マッピング方式によれば、１つのＥ−ＰＤＣＣＨは局所的な帯域上のＲＥにマッピングされる。
【００３９】
次に、図１０はＥ−ＰＤＣＣＨ領域におけるＥ−ＰＤＣＣＨのマッピングの他の一例を示す図である。この分散的マッピング方式によれば、１つのＥ−ＰＤＣＣＨは局所的な帯域周波数軸上で離れた帯域上のＲＥにマッピングされる。
【００４０】
このように、一部（あるいは全部）のＰＲＢペアが、Ｅ−ＰＤＣＣＨ領域（潜在的にＥ−ＰＤＣＣＨが配置され得る領域）として設定される。さらに、明示的あるいは黙示的／暗示的に指定されるマッピング方式により、ＰＤＳＣＨ領域中の一部（あるいは全部）のＰＲＢペアにＥ−ＰＤＣＣＨが配置される。
【００４１】
図１１はＥ−ＰＤＣＣＨ領域内の構成要素の一例を示す図である。ＮＤＬＰＲＢ個のＰＲＢペアのうちＥ−ＰＤＣＣＨ領域に設定されたＮＥ−ＰＤＣＣＨＰＲＢ個のＰＲＢペアを取り出し、取り出した領域内のＲＥをインタリーブしてＥ−ＰＤＣＣＨの構成要素であるＣＣＥに分割する。ここで、インタリーブは、局所的なマッピング方式を用いる場合と分散的なマッピング方式を用いる場合とで異なる方法を用いることが好ましい。局所的なマッピング方式を用いる場合は、１つのＣＣＥを構成するＲＥが局所的な帯域内に集中するようなインタリーブ方法を用いる。一方、分散的なマッピング方式を用いる場合は、１つのＣＣＥを構成するＲＥがＥ−ＰＤＣＣＨ領域内に分散するようなインタリーブ方法を用いる。Ｅ−ＰＤＣＣＨ構成要素に番号ｎＥ−ＰＤＣＣＨＣＣＥを振る。例えば、周波数が低い構成要素から順に０、１、２、・・・、ＮＥ−ＰＤＣＣＨＣＣＥ−１となる。つまり、周波数領域において、潜在的Ｅ−ＰＤＣＣＨ送信に対してＮＥ−ＰＤＣＣＨＰＲＢ個のＰＲＢのセットが上位層のシグナリング（例えば端末個別のシグナリングやセル内共通のシグナリング）により設定され、ＮＥ−ＰＤＣＣＨＣＣＥ個のＥ−ＰＤＣＣＨ構成要素が使用可能となる。Ｅ−ＰＤＣＣＨのＣＣＥから構成されるＳＳも、ＰＤＣＣＨのＳＳと同様、ＣＳＳとＵＳＳに分けることができるとして、以下では説明を続ける。しかしながら、Ｅ−ＰＤＣＣＨのＣＣＥから構成されるＳＳはＵＳＳのみとすることもできる。 
【００４２】
Ｅ−ＰＤＣＣＨ領域内のＣＣＥには、ＣＣＥを識別するための番号ｎＥ−ＰＤＣＣＨＣＣＥが付与されている。また、Ｅ−ＰＤＣＣＨ領域内のＣＣＥは、第１スロットと第２スロットとで、個別にＣＣＥが配置され、ＣＣＥを識別するための番号も個別に割り振られる。ここでは、ｎＥ−ＰＤＣＣＨＣＣＥがｎＣＣＥとは独立して設定される場合について説明する。すなわち、ｎＥ−ＰＤＣＣＨＣＣＥの値の一部は、ｎＣＣＥが取り得る値と重複する。
【００４３】
次に、下りリンクグラントとＰＵＣＣＨリソースの割り当てについて説明する。図１２は、下りリンクグラントとＰＵＣＣＨリソースの割り当ての一例を示す図である。特に、下りリンクグラントとしてＰＤＣＣＨを用いる場合の例である。端末１０２は、ＰＤＣＣＨ領域におけるＣＳＳあるいはＵＳＳで下りリンクグラントを検出すると、下りリンクグラントを含むＰＤＣＣＨを構成するＣＣＥのうち、ＣＣＥ番号が最も小さいＣＣＥのＣＣＥ番号に応じたＰＵＣＣＨリソースを用いて、下りリンクグラントに対応する下りリンク送信データ（ＰＤＳＣＨ）のＨＡＲＱ応答情報を報告する。逆に、基地局１０１は、下りリンクグラントを含むＰＤＣＣＨをＣＳＳあるいはＵＳＳに配置する際、端末１０２が下りリンクグラントに対応する下りリンク送信データ（ＰＤＳＣＨ）のＨＡＲＱ応答情報を報告するＰＵＣＣＨリソースに対応するＣＣＥにＰＤＣＣＨを配置するようにする。また、基地局１０１は端末１０２に送信したＰＤＳＣＨに対応するＨＡＲＱ応答情報を、予めスケジューリングしたＰＵＣＣＨを介して受信する。より具体的には、図１２に示すように、下りリンクグラントを含むＰＤＣＣＨを構成するＣＣＥのうち、最初のＣＣＥのＣＣＥ番号ｎＣＣＥにセル固有のパラメータ（あるいは端末固有のパラメータ）であるＮ１を加算した値に一致するインデクスｎＰＵＣＣＨを持つＰＵＣＣＨリソースが、下りリンクグラントに対応する下りリンク送信データのＨＡＲＱ応答情報に対して割り当てられたＰＵＣＣＨリソースである。
【００４４】
また、例えば、下りリンクグラントに対応する下りリンク送信データが２つ以上のコードワードを含むことによりＨＡＲＱ応答情報自体が２つ以上ある場合や、一つの応答情報を複数のＰＵＣＣＨリソースを用いてダイバーシチ送信する場合のように、一つのＰＤＣＣＨに対応して複数のＰＵＣＣＨリソースが必要である場合があり得る。このとき、下りリンクグラントを含むＰＤＣＣＨを構成するＣＣＥのうち、ＣＣＥ番号が最も小さいＣＣＥのＣＣＥ番号を応じたＰＵＣＣＨリソースに加えて、そのＰＵＣＣＨリソースより１つインデクスが大きいＰＵＣＣＨリソースが用いられる。なお、この他にも、複数個のＰＵＣＣＨリソースが必要である場合は、同様にして、１つずつ大きいインデクスのＰＵＣＣＨリソースを用いれば良い。
【００４５】
図１３は、ＰＵＣＣＨリソースの割り当ての他の例を示す図である。図１３に示す例は、上位層により、複数種類のＰＵＣＣＨリソースの候補を設定し、その中から１つのＰＵＣＣＨリソースを指定するという割り当て方法である。より具体的な複数種類のＰＵＣＣＨリソースの設定方法としては、予めＰＵＣＣＨリソースの種類の数が決められており、各インデクスに対するＰＵＣＣＨリソースの値を通知する。好ましくは、専用ＲＲＣシグナリングを用いる。図１３の場合は、ＰＵＣＣＨリソースの種類は４種類である。次に、基地局は端末に対して、４種類のＰＵＣＣＨリソースのうち１つのＰＵＣＣＨリソースを指定する。好ましくは、下りリンクグラントを用いる。図１４は下りリンクグラントにおけるビットフィールドの値とＰＵＣＣＨリソースの対応を示す図である。下りリンクグラントには、ＰＵＣＣＨリソースを示す２ビットのビットフィールドが設けられており、このビットフィールドの値を抽出することにより、４種類のＰＵＣＣＨリソースのうち１つのＰＵＣＣＨリソースを決定することができる。なお、このビットフィールドは、ＰＵＣＣＨリソースを示すための専用のビットフィールドであってもよいし、他のビットフィールド（例えばＴＰＣ用のビットフィールド）を用いることもできる。この場合、ＴＰＣ用のビットフィールドは送信電力制御には用いられない。また、基地局は複数種類のすべてについて設定する必要は無い。例えば、複数種類のうちの一部は固定値（例えばゼロ）と決めておくこともできる。
【００４６】
図１５は、下りリンクグラントとＰＵＣＣＨリソースの割り当ての一例を示す図である。特に、下りリンクグラントとしてＥ−ＰＤＣＣＨを用いる場合の例である。端末１０２は、Ｅ−ＰＤＣＣＨ領域におけるＣＳＳあるいはＵＳＳで下りリンクグラントを検出すると、下りリンクグラントの検出により示される下りリンク送信データ（ＰＤＳＣＨ）送信のために割り当てられたＰＲＢ（ＰＲＢペア）に応じたＰＵＣＣＨリソースを用いて、下りリンクグラントに対応する下りリンク送信データ（ＰＤＳＣＨ）のＨＡＲＱ応答情報を報告する。逆に、基地局１０１は、下りリンクグラントを含むＰＤＣＣＨをＣＳＳあるいはＵＳＳに配置する際、端末１０２が下りリンクグラントに対応する下りリンク送信データ（ＰＤＳＣＨ）のＨＡＲＱ応答情報を報告するＰＵＣＣＨリソースに対応するＰＲＢにＰＤＳＣＨを配置するようにする。また、基地局１０１は端末１０２に送信したＰＤＳＣＨに対応するＨＡＲＱ応答情報を、予めスケジューリングしたＰＵＣＣＨを介して受信する。より具体的には、図１５に示すように、下りリンクグラントによりスケジューリングされたＰＤＳＣＨが割り当てられたＰＲＢのうち、最初のＰＲＢ（最もＰＲＢ番号が小さいＰＲＢ）のＰＲＢ番号ｎＰＲＢに対応するＰＵＣＣＨリソースが下りリンクグラントに対応する下りリンク送信データのＨＡＲＱ応答情報に対して割り当てられたＰＵＣＣＨリソースである。より具体的には、最初のｎＰＲＢをＲＢＧ（ＲＢ  Ｇｒｏｕｐ）サイズＰで除算した結果に床関数を適用し、床関数を適用した結果にセル固有のパラメータ（あるいは端末固有のパラメータ）であるＮ１を加算した値に一致するインデクスｎＰＵＣＣＨを持つＰＵＣＣＨリソースが、下りリンクグラントに対応する下りリンク送信データのＨＡＲＱ応答情報に対して割り当てられたＰＵＣＣＨリソースである。
【００４７】
ここで、ＲＢＧとは、通常の下りリンクグラントでＰＤＳＣＨ送信に用いるＰＲＢを割り当てる際の単位であり、隣接するＲＢで構成されるグループである。図１６は、システム帯域幅（システム帯域内のＰＲＢ数）に対するＲＢＧサイズＰの値の対応を示す図である。システム帯域幅に応じて、Ｐは可変である。最初のｎＰＲＢをＲＢＧ（ＲＢ  Ｇｒｏｕｐ）サイズＰで除算した結果に床関数を適用し、床関数を適用した結果に対応するＰＵＣＣＨリソースを指定することにより、ＰＲＢ数に比べて少ない数のＰＵＣＣＨリソースを準備すればよいため、ＰＵＣＣＨリソースによる上りリンクのオーバヘッドを低減することができる。また、複数のＰＲＢのインデクスに対して１つのＰＵＣＣＨリソースを対応させるに際してＲＢＧを用いることで、ＲＢＧ内のＰＲＢのインデクスに対して１つのＰＵＣＣＨリソースが対応することになる。そのため、最初のＰＲＢにはなり得ないＰＲＢに対応するＰＵＣＣＨリソースを準備することがなくなり、ＰＵＣＣＨリソースを効率的に使用することができる。
【００４８】
なお、ここでは、複数のＰＲＢのインデクスに対して１つのＰＵＣＣＨリソースを対応させるに際して、最初のｎＰＲＢをＲＢＧ（ＲＢ  Ｇｒｏｕｐ）サイズＰで除算した結果に床関数を適用し、床関数を適用した結果に対応するＰＵＣＣＨリソースを指定する場合について説明したが、これに限るものではない。例えば、最初のｎＰＲＢに除数Ｘの剰余演算を適用し、剰余演算を適用した結果に対応するＰＵＣＣＨリソースを指定することもできる。ここで好ましくは、Ｘの値としては、総ＲＢ数ＮＰＲＢをＲＢＧサイズＰで除算した結果に床関数を適用した結果を用いる。
【００４９】
または、これらの組み合わせでもよい。例えば、下りリンクグラントの種類に応じて、上述の２つの算出方法を使い分けることができる。例えば、ＲＢＧ単位でＰＤＳＣＨ送信に割り当てる下りリンクグラントの場合は、最初のｎＰＲＢをＲＢＧサイズＰで除算した結果に床関数を適用し、床関数を適用した結果に対応するＰＵＣＣＨリソースを指定する。一方、任意数の連続したＰＲＢをＰＤＳＣＨ送信に割り当てる下りリンクグラントの場合は、最初のｎＰＲＢに除数Ｘの剰余演算を適用し、剰余演算を適用した結果に対応するＰＵＣＣＨリソースを指定する。これにより、異なる割り当て方法をサポートする複数の下りリンクグラントを用いる場合でも、効率的にＰＵＣＣＨリソースを指定することができる。
【００５０】
以上、３種類のＰＵＣＣＨリソースの指定方法を例示した。すなわち、下記の３種類である。
（１）第１のＰＵＣＣＨリソース指定方法：ＰＤＣＣＨの構成に使用されるＣＣＥのインデクスに対応したＰＵＣＣＨリソース
（２）第２のＰＵＣＣＨリソース指定方法：上位層で設定された複数のＰＵＣＣＨリソースのうち、下りリンクグラント内のビットフィールドにより指定されたＰＵＣＣＨリソース
（３）第３のＰＵＣＣＨリソース指定方法：Ｅ−ＰＤＣＣＨの検出により示されるＰＤＳＣＨ送信のために割り当てられたＰＲＢのインデクスに対応したＰＵＣＣＨリソース
【００５１】
次に、下りリンク継続的（準継続的）なスケジューリング（ＳＰＳ：Ｓｅｍｉ  Ｐｅｒｓｉｓｉｔｅｎｔ  Ｓｃｈｅｄｕｌｉｎｇ）を例に挙げて、下りリンクデータ送信およびその応答手続きの流れについて説明する。図１７は、基地局１０１と端末１０２との間の下りリンクデータ送信およびその応答手続きの流れを示す図である。基地局１０１は端末１０２に、下りリンクＳＰＳを開始する（アクティベートする）ことを示す下りリンクグラントであるＰＤＣＣＨあるいはＥ−ＰＤＣＣＨと、この下りリンクグラントで各種パラメータ（リソース割り当てや変調方式および符号化率など）が指定されるＰＤＳＣＨとを１つのサブフレームで送信する（ステップ１７０１）。
【００５２】
端末１０２は、下りリンクＳＰＳを開始することを示す下りリンクグラントであるＰＤＣＣＨあるいはＥ−ＰＤＣＣＨを検出し、この下りリンクグラントで各種パラメータが指定されるＰＤＳＣＨを復号し、復号結果の成否を示すＨＡＲＱ応答信号（Ａｃｋ／Ｎａｃｋ、あるいは応答情報）を送信する（ステップ１７０２）。ここで、ＰＤＳＣＨの復号が成功した場合は、当然下りリンクＳＰＳを開始することを示す下りリンクグラントであるＰＤＣＣＨあるいはＥ−ＰＤＣＣＨの検出も成功している。そのため、Ａｃｋの送信はＳＰＳ開始の確認（了承）も意味している。また、Ａｃｋを受信した基地局１０１は、ＳＰＳでのＰＤＳＣＨのスケジューリングを開始する。ここで、端末１０２および基地局１０１は、下りリンクグラントの送信にＰＤＣＣＨが用いられる場合、ＰＤＣＣＨの構成に使用されるＣＣＥのインデクスに対応したＰＵＣＣＨリソースを用いてＨＡＲＱ応答信号を送受信する。すなわち、第１のＰＵＣＣＨリソース指定方法が用いられる。一方、端末１０２および基地局１０１は、下りリンクグラントの送信にＥ−ＰＤＣＣＨが用いられる場合、Ｅ−ＰＤＣＣＨの検出により示されるＰＤＳＣＨ送信のために割り当てられたＰＲＢのインデクスに対応したＰＵＣＣＨリソースを用いてＨＡＲＱ応答信号を送受信する。すなわち、第３のＰＵＣＣＨリソース指定方法が用いられる。
【００５３】
ＳＰＳでのＰＤＳＣＨのスケジューリングは、基本的にＰＤＣＣＨやＥ−ＰＤＣＣＨの送信を伴わない。ステップＳ１７０１におけるＰＤＳＣＨ送信を起点として、一定周期のサブフレームでＰＤＳＣＨが送信される（ステップ１７０３）。また、端末１０２は、ＰＤＳＣＨに対するＨＡＲＱ応答信号を基地局１０１に送信する（ステップ１７０４）。ここで、ＰＤＳＣＨが送信される周期および、ＰＤＣＣＨやＥ−ＰＤＣＣＨの送信を伴わないＰＤＳＣＨに対するＨＡＲＱ応答信号を送信するための複数のＰＵＣＣＨリソースの候補は、予め専用ＲＲＣシグナリング（上位層のシグナリング）を用いて基地局１０１から端末１０２に通知され、基地局１０１内と端末１０２内で共通に設定されている（この手順は図示していない）。また、ステップ１７０１におけるＰＤＣＣＨあるいはＥ−ＰＤＣＣＨには、上位層で設定された複数のＰＵＣＣＨリソースのうち、１つのＰＵＣＣＨリソースを指定するビットフィールドがあり、端末１０２は、このビットフィールドで指定されたＰＵＣＣＨリソースを用いてＨＡＲＱ応答信号を送信する。すなわち、第２のＰＵＣＣＨリソース指定方法が用いられる。
【００５４】
最後に、基地局１０１は端末１０２に、下りリンクＳＰＳを終了（解放）する（リリースする）ことを示す下りリンクグラントであるＰＤＣＣＨを送信する（ステップ１７０５）。このＰＤＣＣＨ送信にはＰＤＳＣＨ送信は伴わない。端末１０２は、下りリンクＳＰＳを終了することを示すＰＤＣＣＨを検出した場合、このＰＤＣＣＨの構成に使用されるＣＣＥのインデクスに対応したＰＵＣＣＨリソースを用いて、下りリンクＳＰＳを終了することを示すＰＤＣＣＨの検出に成功したことを示すＨＡＲＱ応答信号を送信する（ステップＳ１７０６）。すなわち、ＳＰＳのリリースに対するＨＡＲＱ応答信号のためのＰＵＣＣＨリソースの指定には、第１のＰＵＣＣＨリソース指定方法が用いられる。なお、端末１０２からのＡｃｋの送信はＳＰＳ開始の確認（了承）も意味している。このため、Ａｃｋを受信した基地局１０１は、ＳＰＳでのＰＤＳＣＨのスケジューリングを終了する。
【００５５】
なお、通常のスケジューリングを示す下りリンクグラントに付与されたＣＲＣはＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）でマスクされているのに対し、ＳＰＳのスケジューリング（ＳＰＳのアクティベーションおよびＳＰＳのリリース）を示す下りリンクグラントに付与されたＣＲＣはＳＰＳ  Ｃ−ＲＮＴＩでマスクされている。すなわち、端末１０２はＣＲＣをチェックすることにより、通常のスケジューリングを示す下りリンクグラントかＳＰＳのスケジューリングを示す下りリンクグラントを識別することができる。
【００５６】
図１８は、基地局１０１と端末１０２との間の下りリンクデータ送信およびその応答手続きの別の流れを示す図である。ステップＳ１８０１からステップＳ１８０４までの手順は、図１７におけるステップＳ１７０１からステップＳ１７０４までの手順と同様であるため、説明を省略する。
【００５７】
最後に、基地局１０１は端末１０２に、下りリンクＳＰＳを終了（解放）する（リリースする）ことを示す下りリンクグラントであるＥ−ＰＤＣＣＨを送信する（ステップ１８０５）。このＥ−ＰＤＣＣＨ送信にはＰＤＳＣＨ送信は伴わない。端末１０２は、下りリンクＳＰＳを終了することを示すＥ−ＰＤＣＣＨを検出した場合、ステップＳ１８０４で用いたのと同じＰＵＣＣＨリソースを用いて、下りリンクＳＰＳを終了することを示すＰＤＣＣＨの検出に成功したことを示すＨＡＲＱ応答信号を送信する（ステップＳ１８０６）。すなわち、ＳＰＳのリリースに対するＨＡＲＱ応答信号のためのＰＵＣＣＨリソースの指定には、第２のＰＵＣＣＨリソース指定方法が用いられる。これにより、ＰＤＳＣＨ送信を伴わないＥ−ＰＤＣＣＨに対してＨＡＲＱ応答信号を送信するためのＰＵＣＣＨリソースを一意に特定することができる。
【００５８】
図１９は、ＳＰＳのリリースを指定する制御チャネルに対応するＰＵＣＣＨリソースの指定方法を示す図である。基地局１０１および端末１０２は、図１７および図１８に示された手続きを切り替えることができる。すなわち、端末１０２は、ＳＰＳのリリースを指定する制御チャネルがＰＤＣＣＨである場合、このＰＤＣＣＨの構成に用いられたＣＣＥのうち最初のＣＣＥのインデクスに対応するＰＵＣＣＨリソースを用いて、ＳＰＳのリリースに対するＨＡＲＱ応答信号を送信する。基地局１０１は、ＳＰＳのリリースを指定するＰＤＣＣＨを送信した場合、このＰＤＣＣＨの構成に用いられたＣＣＥのうち最初のＣＣＥのインデクスに対応するＰＵＣＣＨリソースを用いて、ＳＰＳのリリースに対するＨＡＲＱ応答信号を受信する。一方、端末１０２は、ＳＰＳのリリースを指定する制御チャネルがＥ−ＰＤＣＣＨである場合、上位層で設定されたＰＵＣＣＨリソースのうち、ＳＰＳのアクティベーションを示す下りリンクグラントで指定された１つのＰＵＣＣＨリソースを用いて、ＳＰＳのリリースに対するＨＡＲＱ応答信号を送信する。基地局１０１は、ＳＰＳのリリースを指定するＥ−ＰＤＣＣＨを送信した場合、ＳＰＳのアクティベーションを示す下りリンクグラントで指定された１つのＰＵＣＣＨリソースを用いて、ＳＰＳのリリースに対するＨＡＲＱ応答信号を受信する。
【００５９】
別の観点から説明すると、端末１０２は、Ｅ−ＰＤＣＣＨが、ＰＤＳＣＨ送信を伴うＥ−ＰＤＣＣＨであるか、ＰＤＳＣＨ送信を伴わないＥ−ＰＤＣＣＨ（下りリンクＳＰＳのリリース）であるかに応じて、異なるＰＵＣＣＨリソース指定方法を基づくＰＵＣＣＨリソースを用いてＨＡＲＱ応答信号を送信する。基地局１０１は、Ｅ−ＰＤＣＣＨが、ＰＤＳＣＨ送信を伴うＥ−ＰＤＣＣＨであるか、ＰＤＳＣＨ送信を伴わないＥ−ＰＤＣＣＨ（下りリンクＳＰＳのリリース）であるかに応じて、異なるＰＵＣＣＨリソース指定方法を基づくＰＵＣＣＨリソースを用いてＨＡＲＱ応答信号を受信する。
【００６０】
これにより、ＰＤＣＣＨあるいはＰＤＳＣＨ送信を伴うＥ−ＰＤＣＣＨだけでなく、ＰＤＳＣＨ送信を伴わないＥ−ＰＤＣＣＨに対しても、ＨＡＲＱ応答信号を送受信するためのＰＵＣＣＨリソースを一意に特定することができる。
【００６１】
図２０は、ＰＵＣＣＨリソースの指定方法の別の切り替え方法を示す図である。基地局１０１および端末１０２は、ＰＵＣＣＨリソースの指定方法をＳＰＳのリリースを指定するチャネルを受信したサブフレームに応じて切り替えることができる。より具体的には、ＳＰＳ用のＰＤＳＣＨ送信が可能なサブフレーム（ＳＰＳのアクティベーションを示す下りリンクグラントが送信されたサブフレームを起点として一定周期のサブフレーム）以外のサブフレームである場合は、第１のＰＵＣＣＨリソース指定方法を用い、ＳＰＳ用のＰＤＳＣＨ送信が可能なサブフレームである場合は、第２のＰＵＣＣＨリソース指定方法を用いる。
【００６２】
以上のように、ＰＤＳＣＨ送信を伴うＰＤＣＣＨであるか、ＰＤＳＣＨ送信を伴わないＥ−ＰＤＣＣＨであるか、ＰＤＳＣＨ送信を伴うＥ−ＰＤＣＣＨであるか、ＰＤＳＣＨ送信を伴わないＥ−ＰＤＣＣＨであるかに応じて、ＰＵＣＣＨリソース指定方法を切り替える。これにより、効率的にＰＵＣＣＨリソースの指定を行うことができる。
（第２の実施形態）
上記第１の実施形態では、ＰＤＳＣＨ送信を伴わないＥ−ＰＤＣＣＨに対してＨＡＲＱ応答信号を送信する場合について説明した。以下、本発明の第２の実施形態では、ＰＤＳＣＨ送信を伴わないＥ−ＰＤＣＣＨに対してＨＡＲＱ応答信号を送信しない場合について説明する。本実施形態における通信システムは、図１に示す通信システムと同様の構成を用いることができる。また、本実施形態における基地局１０１および端末１０２のブロック構成は、図４および図５に示したブロック構成同様の構成を用いることができる。
【００６３】
図２１は、基地局１０１と端末１０２との間の下りリンクデータ送信およびその応答手続きの別の流れを示す図である。ステップＳ２１０１からステップＳ２１０４までの手順は、図１７におけるステップＳ１７０１からステップＳ１７０４までの手順と同様であるため、説明を省略する。
【００６４】
最後に、基地局１０１は端末１０２に、下りリンクＳＰＳを終了（解放）する（リリースする）ことを示す下りリンクグラントであるＥ−ＰＤＣＣＨを送信する（ステップ２１０５）。このＥ−ＰＤＣＣＨ送信にはＰＤＳＣＨ送信は伴わない。端末１０２は、下りリンクＳＰＳを終了することを示すＥ−ＰＤＣＣＨを検出した場合、ステップＳ１８０４で用いたのと同じＰＵＣＣＨリソースを用いて、下りリンクＳＰＳを終了することを示すＰＤＣＣＨの検出に成功したことを示すＨＡＲＱ応答信号を送信しない。これにより、Ｅ−ＰＤＣＣＨに対しては、ＰＤＳＣＨ送信を伴う場合にのみ、ＨＡＲＱ応答信号を送信するためのＰＵＣＣＨリソースを一意に特定すればよい。
【００６５】
図２２は、ＳＰＳのリリースを指定する制御チャネルに対応するＰＵＣＣＨリソースの指定方法を示す図である。基地局１０１および端末１０２は、図１７および図２１に示された手続きを切り替えることができる。すなわち、端末１０２は、ＳＰＳのリリースを指定する制御チャネルがＰＤＣＣＨである場合、このＰＤＣＣＨの構成に用いられたＣＣＥのうち最初のＣＣＥのインデクスに対応するＰＵＣＣＨリソースを用いて、ＳＰＳのリリースに対するＨＡＲＱ応答信号を送信する。基地局１０１は、ＳＰＳのリリースを指定するＰＤＣＣＨを送信した場合、このＰＤＣＣＨの構成に用いられたＣＣＥのうち最初のＣＣＥのインデクスに対応するＰＵＣＣＨリソースを用いて、ＳＰＳのリリースに対するＨＡＲＱ応答信号を受信する。一方、端末１０２は、ＳＰＳのリリースを指定する制御チャネルがＥ−ＰＤＣＣＨである場合、ＳＰＳのリリースに対するＨＡＲＱ応答信号を送信しない。基地局１０１は、ＳＰＳのリリースを指定するＥ−ＰＤＣＣＨを送信した場合、ＳＰＳのリリースに対するＨＡＲＱ応答信号を受信せず、ＳＰＳを終了する。
【００６６】
別の観点から説明すると、端末１０２は、Ｅ−ＰＤＣＣＨが、ＰＤＳＣＨ送信を伴うＥ−ＰＤＣＣＨであるか、ＰＤＳＣＨ送信を伴わないＥ−ＰＤＣＣＨ（下りリンクＳＰＳのリリース）であるかに応じて、ＨＡＲＱ応答信号を送信するか否かを切り替える。基地局１０１は、Ｅ−ＰＤＣＣＨが、ＰＤＳＣＨ送信を伴うＥ−ＰＤＣＣＨであるか、ＰＤＳＣＨ送信を伴わないＥ−ＰＤＣＣＨ（下りリンクＳＰＳのリリース）であるかに応じて、ＨＡＲＱ応答信号を受信するか否かを切り替える。
【００６７】
これにより、ＰＤＣＣＨあるいはＰＤＳＣＨ送信を伴うＥ−ＰＤＣＣＨだけでなく、ＰＤＳＣＨ送信を伴わないＥ−ＰＤＣＣＨに対しても、ＨＡＲＱ応答信号を送受信する際の端末１０２の動作を一意に規定することができる。
【００６８】
以上のように、ＰＤＳＣＨ送信を伴うＰＤＣＣＨであるか、ＰＤＳＣＨ送信を伴わないＥ−ＰＤＣＣＨであるか、ＰＤＳＣＨ送信を伴うＥ−ＰＤＣＣＨであるか、ＰＤＳＣＨ送信を伴わないＥ−ＰＤＣＣＨであるかに応じて、ＰＵＣＣＨリソース指定方法およびＨＡＲＱ応答信号を送信するか否かを切り替える。これにより、効率的にＰＵＣＣＨリソースの指定を行うことができる。
【００６９】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【００７０】
また、上記各実施形態では、ＰＤＳＣＨ領域に配置される拡張された物理下りリンク制御チャネル１０３をＥ−ＰＤＣＣＨと呼称し、従来の物理下りリンク制御チャネル（ＰＤＣＣＨ）との区別を明確にして説明したが、これに限るものではない。両方をＰＤＣＣＨと称する場合であっても、ＰＤＳＣＨ領域に配置される拡張された物理下りリンク制御チャネルとＰＤＣＣＨ領域に配置される従来の物理下りリンク制御チャネルとで異なる動作をすれば、Ｅ−ＰＤＣＣＨとＰＤＣＣＨとを区別する上記各実施形態と実質的に同じである。
【００７１】
なお、端末が基地局と通信を開始する際に、基地局に対して上記各実施形態で記載の機能が使用可能であるか否かを示す情報（端末能力情報、あるいは機能グループ情報）を基地局に通知することにより、基地局は上記各実施形態で記載の機能が使用可能であるか否かを判断することができる。より具体的には、上記各実施形態で記載の機能が使用可能である場合に、端末能力情報にそれを示す情報を含め、上記各実施形態で記載の機能が使用可能ではない場合には、端末能力情報に本機能に関する情報を含めないようにすればよい。あるいは、上記各実施形態で記載の機能が使用可能である場合に、機能グループ情報の所定ビットフィールドに１を立て、上記各実施形態で記載の機能が使用可能ではない場合には、機能グループ情報の所定ビットフィールドを０とするようにすればよい。
【００７２】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００７３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、または全部を典型的には集積回路であるＬＳＩとして実現してもよい。基地局および端末の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００７４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００７５】
本発明は、無線基地局装置や無線端末装置や無線通信システムや無線通信方法に用いて好適である。
【符号の説明】
【００７６】
１０１  基地局
１０２  端末
１０３  拡張された物理下りリンク制御チャネル
１０４  下りリンク送信データ
１０５  物理上りリンク制御チャネル
４０１  コードワード生成部
４０２  下りリンクサブフレーム生成部
４０３  物理下りリンク制御チャネル生成部
４０４  ＯＦＤＭ信号送信部
４０５、５１１  送信アンテナ
４０６、５０１  受信アンテナ
４０７  ＳＣ−ＦＤＭＡ信号受信部
４０８  上りリンクサブフレーム処理部
４０９  物理上りリンク制御チャネル抽出部
４１０、５０６  上位層
５０２  ＯＦＤＭ信号受信部
５０３  下りリンクサブフレーム処理部
５０４  物理下りリンク制御チャネル抽出部
５０５  コードワード抽出部
５０７  応答情報生成部
５０８  上りリンクサブフレーム生成部
５０９  物理上りリンク制御チャネル生成部
５１０  ＳＣ−ＦＤＭＡ信号送信部
２３０１  基地局
２３０２  端末
２３０３  物理下りリンク制御チャネル
２３０４  下りリンク送信データ
２３０５  物理上りリンク制御チャネル
【図１】
2013255137.tif 000003
【図２】
2013255137.tif 000004
【図３】
2013255137.tif 000005
【図４】
2013255137.tif 000006
【図５】
2013255137.tif 000007
【図６】
2013255137.tif 000008
【図７】
2013255137.tif 000009
【図８】
2013255137.tif 000010
【図９】
2013255137.tif 000011
【図１０】
2013255137.tif 000012
【図１１】
2013255137.tif 000013
【図１２】
2013255137.tif 000014
【図１３】
2013255137.tif 000015
【図１４】
2013255137.tif 000016
【図１５】
2013255137.tif 000017
【図１６】
2013255137.tif 000018
【図１７】
2013255137.tif 000019
【図１８】
2013255137.tif 000020
【図１９】
2013255137.tif 000021
【図２０】
2013255137.tif 000022
【図２１】
2013255137.tif 000023
【図２２】
2013255137.tif 000024
【図２３】
2013255137.tif 000025